(57)【要約】【課題】落葉の腐葉土の発酵を高温乾燥で進行を止め、この時点で麦飯石を混合することによって該腐葉土に抗菌性を付与する製造方法を提供する。【解決手段】本発明抗菌性腐葉土の製造方法は、クヌギやナラ等の落葉を粉砕して原料葉とする工程と、該原料葉を腐葉土として発酵させる工程と、高温乾燥して発酵の進行を止めると共に粉粒体に調整した麦飯石を混合することによって該腐葉土に抗菌性を付与する工程とから成る。このとき、麦飯石は１０％以上の割合で混入し、腐葉土を圧縮密閉させた状態で包装する。【選択図】　図１
2004067980.tif 000002
【特許請求の範囲】
【請求項１】
クヌギやナラ等の落葉を粉砕して原料葉とする工程と、該原料葉を腐葉土として発酵させる工程と、高温乾燥して発酵の進行を止めると共に粉粒体に調整した麦飯石を混合することによって該腐葉土に抗菌性を付与する工程と、から成る抗菌性腐葉土の製造方法。
【請求項２】
麦飯石を混合するした腐葉土を圧縮密閉させた状態で包装する請求項１記載の抗菌性腐葉土の製造方法。
【請求項３】
麦飯石を１０％以上の割合で混入する請求項１，２項いずれか記載の抗菌性腐葉土の製造方法。
【発明の詳細な説明】
【０００１】
【発明の属する技術分野】
本発明は、クヌギやナラ等の落葉の腐葉土に関し、更に詳細には、該腐葉土の発酵を高温乾燥で進行を止め、この時点で粉粒体に調整した麦飯石を混合することによって該腐葉土に抗菌性を付与する抗菌性腐葉土の製造方法に関するものである。
【０００２】
【従来の技術】
植栽用の土壌には水はけ性と保水性が要求され、土壌微生物を繁殖させて植物の生育に適した土壌環境を改善する土壌改良資材が提供されている。該土壌改良資材が持つ多孔性、吸着性により、水分の吸排を繰り返しながら、多量のミネラル分を土壌に溶出して植物の育成、活性化を促進している。
しかし腐葉土の保水性により雑菌やカビが繁殖し易く、該状況の元では黄変や青枯れ、更には根腐れなども起こり、植物の育成を促進できないという問題が生じる。
【０００３】
【発明が解決しようとする課題】
そこで本発明は、発酵工程において腐葉土が規定の温度および水分率に達するまで発酵させた後、高温乾燥させて該発酵の進行を止め、次の抗菌性付与工程において、該腐葉土に既に粉砕してある土壌改良資材を混合して、雑菌の発生を防ぐことのできる腐葉土の製造方法を提供しようとするものである。
【０００４】
【課題を解決するための手段】
上記目的を達成するために、請求項１記載の本発明は、クヌギやナラなどの落葉を同じ大きさに粉砕して原料葉とする工程と、該原料葉を腐葉土として発酵させる工程と高温乾燥して発酵の進行を止めると共に粉粒体に調整した麦飯石を混合することによって該腐葉土に抗菌性を均等に付与する工程とから成る。
【０００５】
【実施例】
この発明の実施例を、図１、図２、図３および表１に基づいて説明する。
図１は抗菌性腐葉土の製造工程を表す。原料調整工程では、クヌギやナラなど落葉５を５０ｍｍ□程度のメッシュ金網３を持つ粉砕機に通し、腐葉土用原料葉として同じ大きさに揃える。また麦飯石も落葉と同様に粉砕機に通し、５ｍｍφ程度のメッシュ金網で紛粒状に揃える。
【０００６】
次の発酵工程では、原料調整工程で形成されたクヌギやナラなど落葉５の水分率を測定して、水分が多い場合は天火などで乾燥させ、乾燥している場合はスプリンクラーなど放水機を利用して水分を与え、水分率が５０〜５５％になるように調整する。そして該原料葉の切り返しを行い、十分な空気を導入して空気疎開し、自然発酵を進める。以上の水分調整、空気疎開、自然発酵の各工程を３〜４回繰り返し、数ヶ月間寝かせて十分発酵した腐葉土を形成する。このときの腐葉土の水分率は６０％、温度は７０℃以上となる。
【０００７】
そこで図２に示すように、次の抗菌性付与工程では、発酵回数３〜４回の腐葉土をキルン６に投入し、乾燥熱風７で高温乾燥して、水分率を４０〜４５％に落とす。篩選して粉状の腐葉土を除去した後、麦飯石を混合して該腐葉土に抗菌性を付与する。このときの混合割合は、腐葉土１Ｌに対して麦飯石を２〜８ｇとする。
これを、そのまま１／３程度に圧縮し、外気が遮断でき、湿気が進入しない袋に密閉して製品とする。
【０００８】
【実施例の作用】
次に、上記実施例の作用を説明する。
クヌギやナラなど落葉を５０ｍｍ□程度のメッシュ金網を持つ粉砕機に通した原料調整工程では、同じ大きさの腐葉土用原料葉に揃えることができ、且つ均一な自然発酵を促進することができる。また麦飯石も落葉と同様に（５ｍｍφ程度のメッシュ金網を持つ）粉砕機に通しているので、紛粒状とし、且つ該腐葉土と混合し易い大きさに揃えることができる。
【０００９】
次に発酵工程では、腐葉土用原料葉の自然発酵を進めるために水分調整、空気疎開、自然発酵の３工程を３〜４回繰り返し、数ヶ月間寝かせて、腐葉土を形成する。水と酸素を注入し、自己発熱を起こすことを繰り返し行う工程であるので、自然発酵を進めることができる。
【００１０】
しかしこのとき、腐葉土の水分率は６０％、温度は７０℃以上となった場合には、該腐葉土は土化し、柔らかさが妨げられ、腐葉土として保持している通気性、排水性、保水性などが失われおそがある。また該高温多湿の環境が悪影響を及ぼし、該腐葉土に藻、カビ、その他の病原菌が発生する場合があり、更に該雑菌が繁殖し、遂には伝染する場合もある。この段階で麦飯石を導入しても、抗菌性を持った腐葉土は形成されない。
【００１１】
そこで、腐葉土の水分率が６０％、温度が７０℃以上となったときに該腐葉土を高温乾燥させ、水分率を４０〜４５％に調整する。すると、自然発酵を止めることができ、この自然発酵の止まった腐葉土に麦飯石を混合する。そして、麦飯石を混合した該腐葉土はそのまま圧縮密閉されるので、外気が遮断でき、湿気が進入しない。すると、麦飯石が持っている多孔性、吸着性、イオン交換作用、多ミネラル溶出性が、上藻、カビ、その他の病原菌の発生を抑制する。
【００１２】
そうして、植物の栽培及び育成にあたって、圧縮密閉された腐葉土を開放して、外気に曝すと、乾燥した分、該腐葉土は水分、湿気を吸収し、傍らにある麦飯石も水分、湿気を吸収し易くなっている。その湿気の吸収過程にあって麦飯石は、持っている多量の金属イオンを水分と共に排出するので、該腐葉土は該金属イオンを多量に取り込むことができる。
この結果、上記カビ等の発生の抑制された梱包された腐葉土にあって、それが開封後に土中に撒かれた後も、水分中へ金属イオンを拡散させて抗菌作用を発揮し、植物の育成を良好ならしめる。
【００１３】
このカビの発生試験を行ったところ下表１の如くであった。
【表１】
2004067980.tif 000003
2004067980.tif 000004
【００１４】
麦飯石を投入しなかったものは、１ヶ月でカビが少々発生し、２ヶ月目にはかなり発生し、３ヶ月以降にはびっしり生えたものとなる。これに対し、麦飯石を５％投入したものは、２ヶ月間はカビの発生が皆無であり、３ヶ月以降に多少の発生をみることになる。１０％以上投入させたものは、４ヶ月経ってもカビの発生がまったく見られなかった。
【００１５】
【発明の効果】
本発明は、腐葉土の発酵の進行を高温乾燥で止め、その状態で粉粒体に調整した麦飯石を混合するので、麦飯石が持っている多孔性、吸着性、イオン交換作用等が上藻、カビ、その他の病原菌の発生を抑制できる。且つ、開封後には水分に金属イオンを拡散させて抗菌性を発揮するので植物を健全に成育させることができるという従来の腐葉土にない優れた効果を奏する。
【図面の簡単な説明】
【図１】
本発明の１実施例を示す抗菌性腐葉土の製造工程図である。
【図２】
粉砕機の一例を表す断面図である。
【図３】
キルンの一例を表す斜視図である。
【符号の説明】
１　　　粉砕機のホッパー
２　　　ロータリーカッター
３　　　メッシュ金網
４　　　粉砕された落葉の受皿
５　　　粉砕される前の落葉
６　　　ロータリーキルン
７　　　乾燥熱風吐出口
８　　　高温乾燥前の腐葉土
９　　　高温乾燥後の腐葉土
【図１】
2004067980.tif 000005
【図２】
2004067980.tif 000006
【図３】
2004067980.tif 000007